(57)【要約】【課題】サブ電源、およびタイマ装置を用いることなく、電源起動時の表示パネルの温度を補償して表示パネルの破損を確実に防止する表示装置および輝度制御方法を提供する。【解決手段】表示パネル１０を複数のブロックに分割し、映像信号からブロック毎の温度を予測してブロック間の温度差予測情報を求める検出手段６５と、温度差予測情報を記憶する不揮発性のメモリ手段４２と、電源起動時にメモリ手段４２に格納された温度差予測情報をもとに表示パネル１０に表示する輝度を制御する輝度制御手段６０とを備えるディスプレイ装置。【選択図】図４
2010197904.tif 000002
【特許請求の範囲】
【請求項１】
外部から入力される映像信号を表示する表示パネルと、
前記表示パネルを複数のブロックに分割し、前記ブロックに対応する前記映像信号から前記ブロックの温度を予測し、前記ブロック間の温度差予測情報を求める検出手段と、
前記温度差予測情報を記憶する不揮発性のメモリ手段と、
電源起動時に前記メモリ手段に格納された前記温度差予測情報をもとに前記表示パネルに表示する輝度を制御する輝度制御手段とを
備えることを特徴とするディスプレイ装置。
【請求項２】
外部から入力される映像信号を表示する表示パネルと、
前記表示パネルを複数のブロックに分割し、前記ブロックに対応する前記映像信号から前記ブロックの温度を予測し、前記ブロック間の温度差予測情報を求める検出手段と、
前記表示パネルの近傍の温度情報を検出する第１の温度検出手段と、
前記第１の温度検出手段で検出した温度情報と前記温度差予測情報を記憶する不揮発性のメモリ手段と、
電源起動時に前記メモリ手段に格納された前記温度差予測情報および前記温度情報をもとに前記表示パネルに表示する輝度を制御する輝度制御手段とを
備えることを特徴とするディスプレイ装置。
【請求項３】
外部から入力される映像信号を表示する表示パネルと、
前記表示パネルを複数のブロックに分割し、前記ブロックに対応する前記映像信号から前記ブロックの温度を予測し、前記ブロック間の温度差予測情報を求める検出手段と、
前記表示パネルの近傍の温度情報を検出する第１の温度検出手段と、
外部雰囲気温度を検出する第２の温度検出手段と、
前記第１の温度検出手段で検出した温度情報と前記第２の温度検出手段で検出した外部雰囲気温度と前記温度差予測情報を記憶する不揮発性のメモリ手段と、
電源起動時に前記メモリ手段に格納された前記温度差予測情報、前記外部雰囲気温度および前記温度情報をもとに前記表示パネルに表示する輝度を制御する輝度制御手段とを
備えることを特徴とするディスプレイ装置。
【発明の詳細な説明】
【技術分野】
【０００１】
本発明は電源起動時のディスプレイ装置の表示パネルの温度を補償して表示パネルの破損を防止する表示装置および輝度制御方法に関するものである。
【背景技術】
【０００２】
近年の薄型ディスプレイ装置においては、大型化、高精細化が進み消費電力も増加する傾向にある。またディスプレイの奥行きについても薄型化が進行している。またプラズマディスプレイパネルの場合には、放電セルの発光時に熱が生じ、この熱がプラズマディスプレイパネルを構成するガラス面に局部的に加わると、ガラスが破損するという課題がある。このようにディスプレイ装置の消費電力の増加とそのパネルの薄型化により、構造的にも居部的な温度上昇に対する対策が必要となってきている。
【０００３】
例えばプラズマディスプレイパネルでは、ガラス面とシャーシを構成する金属との間に熱伝導率のよいシートが使われることが多く、また、金属も熱伝導率のよいものが採用されているが、これらはコスト的に優位な方法とは言えない。
【０００４】
上記のような課題を解決するために従来のディスプレイ装置では、パネルの温度補償としてさまざまな方法が提案されている。多くは、映像信号から温度情報を予測し、表示する映像の輝度を制御することが提案されている。電源起動時のパネル温度予測については、電源起動時のパネル温度を予測するためにサブ電源や電池によって電源オフ時から次の電源起動時までの時間をタイマによってカウントし、電源オフ時から経過した時間によって起動時のパネル温度状態を予測する方法（例えば、特許文献１参照）が提案されている。
【特許文献１】特開平１１−１９４７４５号公報
【発明の開示】
【発明が解決しようとする課題】
【０００５】
電源が供給されている状態において映像信号からパネルの温度を予測する方法は、電源オフ期間中の電源が供給されていないときには温度予測できない。また、サブ電源でタイマ回路を動かし、次の電源起動時までの時間経過からパネル温度状態を予測する方法ではＡＣ電源を抜かれたときにタイマ回路が停止して的確な温度予測ができなくなるため、保護制御ができないという問題がある。また、この方法の場合、電源回路が必要でありコスト増となるとともに、電源オフ期間中も電源供給も必要になり消費電力が増加し、省電力化にも向かない。
【０００６】
本発明は、上記の課題に鑑みなされたものであり、電源オフ期間中の温度変化を適切に予測し、表示部であるパネルの破損をより確実に防止することができ、また、サブ電源、およびタイマ回路を用いることなく低コスト、省電力で表示部の破損を防止することができるディスプレイ装置を提供することである。
【課題を解決するための手段】
【０００７】
本発明のディスプレイ装置は、外部から入力される映像信号を表示する表示パネルと、前記表示パネルを複数のブロックに分割し、前記ブロックに対応する前記映像信号から前記ブロックの温度を予測し、前記ブロック間の温度差予測情報を求める検出手段と、前記温度差予測情報を記憶する不揮発性のメモリ手段と、電源起動時に前記メモリ手段に格納された前記温度差予測情報をもとに前記表示パネルに表示する輝度を制御する輝度制御手段とを備えるものである。
【０００８】
また本発明のディスプレイ装置は、外部から入力される映像信号を表示する表示パネルと、前記表示パネルを複数のブロックに分割し、前記ブロックに対応する前記映像信号から前記ブロックの温度を予測し、前記ブロック間の温度差予測情報を求める検出手段と、前記表示パネルの近傍の温度情報を検出する第１の温度検出手段と、前記第１の温度検出手段で検出した温度情報と前記温度差予測情報を記憶する不揮発性のメモリ手段と、電源起動時に前記メモリ手段に格納された前記温度差予測情報および前記温度情報をもとに前記表示パネルに表示する輝度を制御する輝度制御手段とを備えるものである。
【０００９】
また本発明のディスプレイ装置は、外部から入力される映像信号を表示する表示パネルと、前記表示パネルを複数のブロックに分割し、前記ブロックに対応する前記映像信号から前記ブロックの温度を予測し、前記ブロック間の温度差予測情報を求める検出手段と、前記表示パネルの近傍の温度情報を検出する第１の温度検出手段と、外部雰囲気温度を検出する第２の温度検出手段と、前記第１の温度検出手段で検出した温度情報と前記第２の温度検出手段で検出した外部雰囲気温度と前記温度差予測情報を記憶する不揮発性のメモリ手段と、電源起動時に前記メモリ手段に格納された前記温度差予測情報、前記外部雰囲気温度および前記温度情報をもとに前記表示パネルに表示する輝度を制御する輝度制御手段とを備えるものである。
【００１０】
外部から入力される映像信号を表示する表示パネルと、映像信号を複数のブロックに分割し、各ブロックにおける表示パネルの温度を予測し温度差予測情報を求める検出手段と、温度差予測情報を格納する不揮発性のメモリ手段と、温度予測値に応じて表示パネルの輝度を制御する輝度制御手段を備えており、電源起動時にメモリ手段に格納された温度差予測情報をもとに輝度を制御することを特徴とする。
【００１１】
これにより電源起動時においても、表示パネル上に温度差が大きい領域があることが判別でき、輝度を制御することにより温度差を下げることができる。
【００１２】
また、このディスプレイ装置においては、表示パネルの近傍の温度情報を検出する温度検出手段を備えており、温度検出手段で検出した温度情報をメモリ手段に格納し、電源起動時にメモリ手段に格納された前記温度差予測情報および温度情報と、温度検出手段で検出した温度情報により、前記表示パネルの温度を予測して輝度制御を行うことを特徴とする。これにより電源オフ時の温度と電源起動時の温度差から電源オフ期間を推定しパネル温度差を正確に予測することが出来る。
【００１３】
また、このディスプレイ装置においては、外部雰囲気温度を検出する温度検出手段を備えており、温度検出手段で検出した温度情報をメモリ手段に格納し、電源起動時にメモリ手段に格納された温度差予測情報および温度情報と、温度検出手段で検出した温度情報により、表示パネルの温度を予測して輝度制御を行うことを特徴とする。これにより、電源オフ時の温度と電源起動時の温度差から電源オフ期間を推定しパネル温度差を正確に予測することができる。
【００１４】
また、このディスプレイ装置においては、表示パネルの近傍の温度情報を検出する第１の温度検出手段と、ディスプレイ装置の外部雰囲気温度を検出する第２の温度検出手段を備えており、第１の温度検出手段と第２の温度検出手段で検出した温度情報をメモリ手段に格納し、電源起動時にメモリ手段に格納された温度差予測情報および温度情報と、第１と第２の温度検出手段で検出した温度情報により、表示パネルの温度を予測して輝度制御を行うことを特徴とする。これにより電源オフの表示パネルと外部雰囲気温度差と、電源起動時の表示パネルと外部雰囲気温度差から電源起動時のパネル温度差を正確に予測することが出来る。
【００１５】
また、このディスプレイ装置においては、検出手段において検出される温度差予測情報について全ブロックの温度差予測情報をメモリ手段に格納し、電源起動時にメモリ手段に格納された全ブロックの温度差予測情報を第１または第２の温度検出手段で検出した温度により補正し、表示パネルの温度を予測することを特徴とする。これにより、電源起動後のパネル温度差を正確に推定することができる。
【００１６】
また、このディスプレイ装置においては、外部から入力される映像信号を表示する表示パネルと、映像信号を複数のブロックに分割し、各ブロックにおける表示パネルの温度を予測し温度差予測情報を求める検出手段と、温度差予測情報を格納する不揮発性のメモリ手段と、温度予測値に応じて表示パネルの輝度を制御する輝度制御手段と、表示パネルの近傍の温度情報を検出する第１の温度検出手段と、ディスプレイ装置の外部雰囲気温度を検出する第２の温度検出手段を備えている。これにより、メモリに温度検出手段で検出した温度情報を格納することなく、電源起動時にメモリ手段に格納された温度差予測情報と第１と第２の温度検出手段で検出した温度情報により、表示パネルの温度を予測して輝度を制御することができる。
【発明の効果】
【００１７】
本発明によれば、高精細化されたパネルであっても、ノイズを増加させることなく画像表示品質を向上させることができるディスプレイ装置およびそのパネルの駆動方法を提供することが可能となる。
【発明を実施するための最良の形態】
【００１８】
以下、本発明の実施の形態におけるディスプレイ装置の一例としてプラズマディスプレイ装置について図面を用いて説明する。
【００１９】
（実施の形態１）
以下、本発明によるディスプレイ装置の例としてプラズマディスプレイ装置について説明する。図１は、本発明の一実施の形態におけるプラズマディスプレイ装置のプラズマディスプレイパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２０】
また、保護層２６は放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２１】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２２】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２３】
なお、パネル１０の構造は上述したものに限られるわけではなく、例えばストライプ状の隔壁を備えたものであってもよい。
【００２４】
図２は、本発明の実施の形態におけるパネル１０の電極配列図である。パネル１０には、行方向に延長されたｎ本の走査電極ＳＣ１〜ＳＣｎ（図１の走査電極２２）およびｎ本の維持電極ＳＵ１〜ＳＵｎ（維持電極２３）を配列し、列方向に延長されたｍ本のデータ電極Ｄ１〜Ｄｍ（図１のデータ電極３２）を配列している。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電空間内に形成される放電セルの数量はｍ×ｎ個となる。
【００２５】
次に、パネル１０を駆動するための駆動電圧波形とその動作の概要について説明する。
【００２６】
本実施の形態におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００２７】
図３は、本発明の実施の形態におけるパネル１０の各電極に印加する駆動電圧波形図である。図３には、２つのサブフィールドの駆動電圧波形、すなわち全ての放電セルに対し初期化動作を行うサブフィールド（以下、「全セル初期化サブフィールド」と呼称する）と、選択的に初期化動作を行うサブフィールド（以下、「選択初期化サブフィールド」と呼称する）とを示しているが、ここでは、全セル初期化サブフィールドについて説明を行う。なお、他のサブフィールドにおける駆動電圧波形もほぼ同様である。また、以下における走査電極ＳＣｉ、維持電極ＳＵｉ、データ電極Ｄｋは、各電極の中から画像データにもとづき選択された電極を表す。
【００２８】
全セル初期化サブフィールドである第１ＳＦの初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧（以下、「上りランプ波形電圧」と呼称する）を印加する（以下、走査電極ＳＣ１〜ＳＣｎに印加する上りランプ波形電圧の最大値を「初期化電圧Ｖｉ２」として引用する）。
【００２９】
この上りランプ波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３０】
初期化期間後半部では、維持電極ＳＵ１〜ＳＵｎには正の電圧Ｖｅ１を印加し、データ電極Ｄ１〜Ｄｍには０（Ｖ）を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「下りランプ波形電圧」と呼称する）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００３１】
続く書込み期間では、まず維持電極ＳＵ１〜ＳＵｎに電圧Ｖｅ２を、走査電極ＳＣ１〜ＳＣｎに電圧Ｖｃを印加する。
【００３２】
そして、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。これにより、データ電極Ｄｋと走査電極ＳＣ１との間に放電が発生する。また、この放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３３】
以上の書込み動作をｎ行目の放電セルに至るまで行い、書込み期間が終了する。
【００３４】
続く維持期間では、まず走査電極ＳＣ１〜ＳＣｎに正の維持パルス電圧Ｖｓを印加するとともに維持電極ＳＵ１〜ＳＵｎにベース電位となる接地電位、すなわち０（Ｖ）を印加する。すると書込み放電を起こした放電セルでは、走査電極ＳＣｉと維持電極ＳＵｉとの間に維持放電が起こり、このとき発生した紫外線により蛍光体層３５が発光する。書込み期間において書込み放電が起きなかった放電セルでは維持放電は発生せず、初期化期間の終了時における壁電圧が保たれる。
【００３５】
以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００３６】
続くサブフィールドの動作は、維持期間の維持パルスの数を除いて上述の動作とほぼ同様であるため説明を省略する。以上が、本実施の形態におけるパネル１０の各電極に印加する駆動電圧波形の概要である。
【００３７】
次に、本実施の形態のプラズマディスプレイ装置の構成について説明する。図４は、プラズマディスプレイ装置を例とした回路ブロック図である。プラズマディスプレイ装置は、パネル１０、チューナー４１、映像信号処理回路４３、マイクロコンピューター４４、パネル１０を駆動する駆動回路を有する。駆動回路として、画像信号処理回路５０、データ電極駆動回路５２、走査電極駆動回路５３、維持電極駆動回路５４、タイミング発生回路５５および各回路ブロックに必要な電源を供給する電源回路（図示せず）を備えている。
【００３８】
チューナー４１は、アンテナ４０で受信された受信信号から映像信号を取り出し、後段に出力する。
【００３９】
映像信号処理回路４３は、チューナー４１から出力される映像信号を表示用の映像信号ｓｉｇとして後段に出力する。マイクロコンピューター４４（以降、マイコンと記す）は、映像信号処理回路４３から送られた情報やメモリ４２、温度センサ４５からの情報を受けて、必要に応じて表示する映像の輝度制御が必要かどうかを判断する。輝度制御が必要な場合は輝度制御部６０で輝度制御が行われる。画像信号処理回路５０は、映像信号処理回路４３から出力された映像信号ｓｉｇをサブフィールド毎の発光・非発光を示す画像データに変換する。
【００４０】
タイミング発生回路５５は、各回路ブロックの動作を制御する各種のタイミング信号を発生し、それぞれの回路ブロックへ供給する。走査電極駆動回路５３は、初期化期間において走査電極ＳＣ１〜ＳＣｎに印加する初期化波形電圧を発生するための初期化波形発生回路６３、維持期間において維持パルス電圧を発生するための維持パルス発生回路（図示せず）、書込み期間に走査パルス電圧を発生する走査パルス発生回路（図示せず）を有し、タイミング信号にもとづいて各走査電極ＳＣ１〜ＳＣｎをそれぞれ駆動する。
【００４１】
データ電極駆動回路５２は、サブフィールド毎の画像データを各データ電極Ｄ１〜Ｄｍに対応する信号に変換し、タイミング信号にもとづいて各データ電極Ｄ１〜Ｄｍを駆動する。維持電極駆動回路５４は、維持パルス発生回路および電圧Ｖｅ１、電圧Ｖｅ２を発生するための回路を備え、タイミング信号にもとづいて維持電極ＳＵ１〜ＳＵｎを駆動する。
【００４２】
次に、上記のように構成されたプラズマディスプレイ装置の第１の輝度制御方法について説明する。映像信号処理回路５０の信号検出部６１は、パネル１０の画面全体を複数に分割し、それぞれのブロック毎に表示する信号レベルと発光パルス数の情報をマイコン４４へ周期的に伝送する。温度差予測部６５はこの情報を元に複数に分割した画面の各ブロックについて温度予測を行い、この温度予測値から各ブロック間での温度差を演算する。さらに、このブロック間の温度差の最大値を算出し、これをパネル温度差予測値とする。
【００４３】
入力された映像信号の情報から予測するパネル予測温度は、瞬時に変化する映像に対してゆっくり変化するように時定数を持たせる必要がある。信号検出部６１の検出周期の例として、映像信号の状態を０．５秒後毎に蓄積し、１秒に２回ずつ伝送する。これにより、マイコン４４は、映像信号の変化から、秒単位の精度で温度予測をすることが可能である。
【００４４】
メモリ４２は不揮発性の記憶手段であり、電源オフ期間中も値を保持する。このメモリ４２は、温度差閾値と輝度制御状態値を保持する。マイコン４４は、温度差予測部６５で特定されたパネル温度差予測値とメモリ４２から入力する温度差閾値から、輝度制御の状態を３つのモードに判別する。例えば、パネル温度差予測値によってパネルに表示する輝度を下げる場合／パネルに表示する輝度を上げる場合／パネルに表示する輝度を変化させない場合と判別し、ここではそれぞれを「高温モード」／「低温モード」／「常温モード」の３つの「モード」とする。
【００４５】
マイコン４４は、パネル温度差予測値と温度差閾値とを比較し、パネル温度差予測値がメモリ４２に設定された温度差閾値を超える場合は、画像信号処理回路５０の輝度制御部６０へ信号を送り、輝度を制御する。具体的には、画像信号処理回路５０の輝度制御部６０は表示する映像信号の輝度を下げるように映像データを作成しデータ電極駆動回路５２に出力する。また輝度制御部６０はタイミング発生回路５５から出力される駆動パルスのパルス数を制御する制御信号を出力し、表示する輝度が下がるように制御を行う。
【００４６】
また、パネル温度差予測値と温度差閾値の差がない初期状態は「常温モード」であり、この比較結果を受けた画像信号処理回路５０の輝度制御部６０は、標準の輝度、つまり輝度制御をかけない状態で表示するようにする。
【００４７】
また、パネル温度差予測値が温度差閾値より下がった状態では「低温モード」で、かつ標準の輝度よりも下がっているときには、輝度を上げる処理を行う。但し、標準の輝度を上限として、これ以上に輝度を上昇しない。
【００４８】
次に、プラズマディスプレイ装置の電源がオフされる時から次の電源起動までの動作について説明する。マイコン４４は上述したモードが切り替わる毎に「輝度制御状態値」をメモリ４２に、１つ以上複数の値を、履歴情報として記録する。電源(図示せず）がオフされると、マイコン４４は内部の状態であるパネル温度差予測値の情報を失うため、次に電源をＯＮする起動時にはマイコン４４の温度差予測部はリセットされた状態となる。マイコン４４は電源が起動されることを入力される情報により検知し、そしてメモリ４２に記録された「輝度制御状態値」の履歴を読み込む。そして電源がオフされる直前の設定された期間内に「高温モード」が存在すれば、画像信号処理回路５０の輝度制御部６０に信号を出力し、電源起動後の一定期間において輝度制御を行うように動作する。なお、温度差予測部６５のパネル温度差予測は、電源起動後から再開し、一定期間の後からは予測値に従って制御を行うように動作が切り替わる。このため、例えばパネル１０の表示部の温度差が存在した状態で電源の瞬断が発生してもパネル温度差があってもこれを検出することができ、パネル保護が可能となる。
【００４９】
次に第２の輝度制御方法について説明する。第１の輝度制御方法で記載した内容に加え、パネル１０の近傍に配置された温度センサ４５から温度情報をマイコン４４に伝送する。メモリ４２は、温度情報を記録する領域を保持する。マイコン４４は温度センサ４５の温度情報を定期的にモニターし、温度が変化するたびにメモリ４２に温度情報を「温度値」として記録する。「温度値」は１つ以上複数記録し、温度履歴を構成する。電源がオフされたときには温度のモニターも中止され、電源オフ直前の温度履歴がメモリ４２に格納された状態になる。
【００５０】
プラズマディスプレイ装置の電源が起動される時、マイコン４４はメモリ４２に記録された過去の「輝度制御状態値」の履歴と、「温度値」の履歴である温度履歴とを読み込み、経過温度予測部６４では現在のパネル温度を予測する。経過温度予測部６４は、設定した期間内の「輝度制御状態値」の履歴に「高温モード」が存在するとき、メモリ４２に記録された温度履歴と温度センサ４５の値の差から、電源がオフされてから現在まで温度変化を予測し、ブロック間で温度差が設定された閾値以上かどうかを判断し、輝度制御を行う。例えば、電源起動時に、メモリ４２に記録されていた温度値が５０℃で、このとき温度センサ４５から読み込んだ値が２５℃のとき、電源がオフされた時から電源がオンされるまで十分に時間が経過していてパネル１０の温度は平衡状態になっており、ブロック間のパネル温度差も無くなっていると判断し、輝度制御の状態を「常温モード」とする。温度センサ４５の変化量とパネル温度差予測の変化量の関係はあらかじめメモリ４２に記録しておけばよい。
【００５１】
次に第３の輝度制御方法について説明する。第２の輝度制御方法で記載した内容に加え、外部雰囲気温度をモニターする温度センサ４６をマイコン４４に接続する。メモリ４２は、温度センサ４６の温度情報を記録する領域を保持する。この温度センサ４６の温度情報による輝度制御方法について、前記第2の輝度制御方法から追加した制御を説明する。
【００５２】
プラズマディスプレイ装置の電源を起動するとマイコン４４の経過温度予測部６４は予め設定した期間内の「輝度制御状態値」の履歴に「高温モード」が存在するとき、メモリ４２に記録された温度センサ４５と温度センサ４６の差分値と、電源の起動時に読み込んだ温度センサ４５と温度センサ４６の差分値を比較して、現在のパネル温度を予測する。このように外部雰囲気温度とパネル１０近傍の温度の差分値からパネル温度予測を行うことで外部雰囲気温度の変化の影響を抑えることができるため、より正確な予測を行うことが可能となる。温度センサ４５と温度センサ４６の差分値の変化量とパネル温度の変化量の関係はあらかじめメモリ４２に記録しておく。
【００５３】
次に第４の輝度制御方法について説明する。第３の輝度制御方法で記載した内容と異なり、メモリ４２には、温度センサ４５と温度センサ４６の温度情報を記録しない。この温度センサ４５と温度センサ４６の温度情報をメモリ４２に記録しないことによる輝度制御方法について、前記第３の輝度制御方法と異なる制御を説明する。
【００５４】
プラズマディスプレイ装置の電源を起動すると、マイコン４４の経過温度予測部６４は予め設定した期間内の「輝度制御状態値」の履歴に「高温モード」が存在するとき、電源の起動時に読み込んだ温度センサ４５と温度センサ４６の差分値を比較して、現在のパネル温度を予測する。外部雰囲気温度とパネル１０近傍の温度の差分値が小さいときはパネル温度差が小さくなっていると予測し、輝度制御状態を「常温モード」とする。
【００５５】
これにより、メモリ４２の記録領域を節約するとともに、温度履歴記録の処理が不要となり制御が簡単で効率よくパネル温度差を予測することが可能となる。温度センサ４５と温度センサ４６の差分値とパネル温度差の予測値の関係はあらかじめメモリ４２に記録しておく。
【００５６】
次に第５の輝度制御方法について説明する。温度センサ４５を用いる点は、第2の輝度制御方法と同様であるが、第5の輝度制御方法では、メモリ４２に画面全体を複数に分割されたブロックの各々について温度差情報を格納することが異なる。
【００５７】
映像信号処理回路５０の信号検出部６１はパネル１０の画面全体を複数に分割し、それぞれのブロック毎に信号レベルと発光パルス数の情報をマイコン４４へ伝送する。温度差予測部６５はこの情報を元に各ブロックの温度予測を行い、ブロック間での温度差を演算する。通常、予測した温度差がメモリ４２に設定された閾値を超える場合は輝度制御部６０へ信号を送り輝度を制御する。輝度制御部６０はタイミング発生回路５５から出力される駆動パルスのパルス数を制御する。駆動パルス数により輝度が制御される。
【００５８】
このときマイコン４４は、全てのブロックの温度差情報について変化があるごとにメモリ４２に更新記録する。また、温度センサ４５の読み込み値についても同様にメモリ４２に記録する。電源起動時、マイコン４４はメモリ４２に記録された全てのブロックの温度差情報を読み込み、経過温度予測部６４において、最後に電源がオフされてから現在まで温度変化を推測し、現在の各ブロックにおける温度差値を予測する。全ブロックの中で、パネル温度差が閾値よりも大きいブロックがある場合、「高温モード」と判別し輝度制御を行う。これにより、メモリ４２に記録された電源オフ前の輝度制御状態から判別するよりも正確にパネル温度差を予測することができる。また、第２の輝度制御方法においては、電源起動後のパネル温度差予測は、一旦リセット状態になってから開始していたが、第５の輝度制御方法においては、メモリ４２に格納しておいた電源オフ前の全ブロックの温度差情報から、電源起動時のパネル温度差予測の初期状態を設定することができ、電源起動後から直ぐにパネル温度差予測を有効に使うことができる。
【００５９】
尚、経過温度予測部６４における予測方法として、温度センサ４６を追加して、第３の輝度制御方法を用いることもできる。
【００６０】
なお、上記第１から第５の輝度制御方法の説明では、パネル温度差はマイコン４４で予測するとしたが、マイコン４４ではなく画像信号処理回路内にパネル温度差の予測手段を設けることにより輝度制御を行うこともできる。
【産業上の利用可能性】
【００６１】
本発明によれば、サブ電源を使用することなく電源起動時のパネル温度を予測することができ、輝度制御を行うことができるため、省電力かつ低コストを実現しながら表示部の破損を過剰な制御を行わずに防止することができる。
【図面の簡単な説明】
【００６２】
【図１】本発明の実施の形態におけるパネルの構造を示す分解斜視図
【図２】同パネルの電極配列図
【図３】同パネルの各電極に印加する駆動電圧波形を示す図
【図４】本発明の実施の形態におけるプラズマディスプレイ装置の回路ブロック図
【符号の説明】
【００６３】
１０  パネル
２１  前面板
２２  走査電極
２３  維持電極
２４  表示電極対
２５、３３  誘電体層
２６  保護層
３１  背面板
３２  データ電極
３４  隔壁
３５  蛍光体層
４０  アンテナ
４１  チューナー
４２  メモリ
４３  映像信号処理回路
４４  マイクロコンピューター
４５、４６  温度センサ
５０  画像信号処理回路
５２  データ電極駆動回路
５３  走査電極駆動回路
５４  維持電極駆動回路
５５  タイミング発生回路
６０  輝度制御部
６１  信号検出部
６３  初期化波形発生回路
６４  経過温度予測部
６５  温度差予測部
【図１】
2010197904.tif 000003
【図２】
2010197904.tif 000004
【図３】
2010197904.tif 000005
【図４】
2010197904.tif 000006